【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
テレマティクスデータを通信する方法であって、
通信セッションシグナリングプロトコルにより第1のデバイスから第2のデバイスに第1のシグナリングメッセージを送信するステップであって、前記第1のシグナリングメッセージは、少なくとも、前記第1のデバイスと前記第2のデバイスとの間の通信セッションに関係するセッション情報の第1のセット、および前記第1のデバイスに関するテレマティクスデータの第1のセットを含む、ステップと、
前記通信セッションシグナリングプロトコルにより前記第1のデバイスにおいて第2のシグナリングメッセージを受信するステップであって、前記第2のシグナリングメッセージは、前記第1のシグナリングメッセージにおいて送信されたテレマティクスデータの前記第1のセットの内容に基づくメタデータを含む、ステップと
を含む方法。
【請求項２】
前記第2のシグナリングメッセージは、前記通信セッションに関係するセッション情報の第2のセットを含む、請求項1に記載の方法。
【請求項３】
前記通信セッションシグナリングプロトコルにより前記第2のシグナリングメッセージを前記受信するステップは、
テレマティクスデータの前記第1のセットが前記第2のデバイスにおいて良好に受信されたかどうかの指示を受信するステップであって、前記指示は、テレマティクスデータの前記第1のセットの前記内容に基づく前記メタデータを含む、ステップ
を含む、請求項1に記載の方法。
【請求項４】
前記通信セッションシグナリングプロトコルにより前記第2のシグナリングメッセージを前記受信するステップは、
テレマティクスデータの前記第1のセットに関する要求を受信するステップであって、前記要求は、テレマティクスデータの前記第1のセットの前記内容に基づく前記メタデータを含む、ステップ
をさらに含む、および
前記要求は、テレマティクスデータの前記第1のセットの再送信を求める要求、テレマティクスデータの前記第1のセットの更新バージョンの送信を求める要求、またはテレマティクスデータの異なるセットの送信を求める要求のうちの少なくとも1つを含む、および／または
前記通信セッションシグナリングプロトコルにより前記第1のデバイスから前記第2のデバイスに第3のシグナリングメッセージを送信するステップであって、前記第3のシグナリングメッセージは、少なくとも、テレマティクスデータの前記第1のセットに関する受信された前記要求に対する応答を含む、ステップ
をさらに含む、請求項1に記載の方法。
【請求項５】
前記通信セッションシグナリングプロトコルにより前記第2のシグナリングメッセージを前記受信するステップは、
テレマティクスデータの前記第1のセットの前記内容に基づく少なくとも1つのアクションの実行を求める命令を前記第2のデバイスから受信するステップであって、前記命令は、テレマティクスデータの前記第1のセットの前記内容に基づく前記メタデータを含む、ステップ
をさらに含み、
前記少なくとも1つのアクションは、追加のテレマティクスデータを収集すること、車両の状態に影響を与えるアクションを実施すること、車両の構成要素をアクティブ化すること、車両の構成要素を非アクティブ化すること、車両のイグニションをオフにすること、車両のイグニションをオンにすること、車両の燃料供給をオフにすること、車両の燃料供給をオンにすること、ドアの鍵を開けること、ドアの鍵を閉めること、車両のクラクションをアクティブ化すること、外部可聴音をアクティブ化すること、車両のライトをアクティブ化すること、車両の点滅灯をアクティブ化すること、パワーウィンドウを作動させること、録音メッセージを再生すること、メディアをレンダリングすること、またはテキストメッセージを表示することのうちの少なくとも1つを含む、請求項1に記載の方法。
【請求項６】
前記第2のシグナリングメッセージのヘッダから、前記第2のシグナリングメッセージの本文の少なくとも一部分は前記メタデータを含むと判断するステップ
をさらに含み、
前記第2のシグナリングメッセージの前記ヘッダから、前記第2のシグナリングメッセージの前記本文はマルチパートフォーマットを含むと判断するステップと、
前記ヘッダ中の情報に基づいて、前記第2のシグナリングメッセージの前記本文の第1の部分を識別するステップであって、前記第2のシグナリングメッセージの前記本文の前記第1の部分は、少なくとも、前記通信セッションに関係するセッション情報の第2のセットを含む、ステップと、
前記ヘッダ中の前記情報に基づいて、前記第2のシグナリングメッセージの前記本文の第2の部分を識別するステップであって、前記第2のシグナリングメッセージの前記本文の前記第2の部分は、少なくとも、前記第1のシグナリングメッセージにおいて送信されたテレマティクスデータの前記第1のセットの前記内容に基づく前記メタデータを含む、ステップと
をさらに含む、請求項3に記載の方法。
【請求項７】
前記通信セッションシグナリングプロトコルに基づいて、前記第1のシグナリングメッセージのヘッダを生成するステップであって、前記ヘッダは、前記第1のシグナリングメッセージの本文の少なくとも一部分がテレマティクスデータの前記第1のセットを含むことを示す指示を含む、ステップ
をさらに含み、
第1のプロトコルに従ってセッション情報の前記第1のセットをフォーマットするステップと、
第2のプロトコルに従ってテレマティクスデータの前記第1のセットをフォーマットするステップと、
少なくともセッション情報の前記フォーマットされた第1のセットおよびテレマティクスデータの前記フォーマットされた第1のセットを結合して、前記第1のシグナリングメッセージの前記本文を生成するステップと
をさらに含む、請求項1に記載の方法。
【請求項８】
テレマティクスデータを通信するための装置であって、
通信セッションシグナリングプロトコルにより第1のデバイスから第2のデバイスに第1のシグナリングメッセージを送信するための手段であって、前記第1のシグナリングメッセージは、少なくとも、前記第1のデバイスと前記第2のデバイスとの間の通信セッションに関係するセッション情報の第1のセット、および前記第1のデバイスに関するテレマティクスデータの第1のセットを含む、手段と、
前記通信セッションシグナリングプロトコルにより前記第1のデバイスにおいて第2のシグナリングメッセージを受信するための手段であって、前記第2のシグナリングメッセージは、前記第1のシグナリングメッセージにおいて送信されたテレマティクスデータの前記第1のセットの内容に基づくメタデータを含む、手段と
を含む装置。
【請求項９】
テレマティクスデータを通信する方法であって、
通信セッションシグナリングプロトコルにより第2のデバイスにおいて第1のデバイスから第1のシグナリングメッセージの少なくとも一部分を受信するステップであって、前記第1のシグナリングメッセージは、少なくとも、前記第1のデバイスと前記第2のデバイスとの間の通信セッションに関係するセッション情報の第1のセット、および前記第1のデバイスに関するテレマティクスデータの第1のセットを含む、ステップと、
前記第1のシグナリングメッセージに応答して、前記通信セッションシグナリングプロトコルにより前記第1のデバイスに第2のシグナリングメッセージを送信するステップであって、前記第2のシグナリングメッセージは、前記第1のシグナリングメッセージにおいて受信されたテレマティクスデータの前記第1のセットの内容に基づくメタデータを含む、ステップと
を含む方法。
【請求項１０】
セッション情報の前記第1のセットは、前記通信セッションの開始を求める要求、または前記通信セッションに関連する情報のうちの少なくとも1つを含む、請求項1または9に記載の方法。
【請求項１１】
前記第2のシグナリングメッセージは、前記通信セッションに関係するセッション情報の第2のセットを含む、および／または
前記通信セッションシグナリングプロトコルにより前記第2のシグナリングメッセージを前記送信するステップは、
テレマティクスデータの前記第1のセットが前記第2のデバイスにおいて良好に受信されたかどうかの指示を送信するステップであって、前記指示は、テレマティクスデータの前記第1のセットの前記内容に基づく前記メタデータを含む、ステップ
を含む、請求項9に記載の方法。
【請求項１２】
前記通信セッションシグナリングプロトコルにより前記第2のシグナリングメッセージを前記送信するステップは、
テレマティクスデータの前記第1のセットに関する要求を送信するステップであって、前記要求は、テレマティクスデータの前記第1のセットの前記内容に基づく前記メタデータを含む、ステップ
を含む、および
前記要求は、テレマティクスデータの前記第1のセットの再送信を求める要求、テレマティクスデータの前記第1のセットの更新バージョンの送信を求める要求、またはテレマティクスデータの異なるセットの送信を求める要求のうちの少なくとも1つを含む、および／または
前記通信セッションシグナリングプロトコルにより前記第1のデバイスから第3のシグナリングメッセージを受信するステップであって、前記第3のシグナリングメッセージは、少なくとも、テレマティクスデータの前記第1のセットに関する送信された前記要求に対する応答を含む、ステップ
をさらに含む、請求項9に記載の方法。
【請求項１３】
前記第1のシグナリングメッセージは、前記通信セッションの開始を求める招待を含み、前記第2のシグナリングメッセージは、前記招待の拒否を含む、または
前記通信セッションシグナリングプロトコルは、セッション開始プロトコル(SIP)、Extensible Messaging and Presence Protocol(XMPP)、Googleトーク、またはスカイプ
のうちの少なくとも1つを含む、または
前記通信セッションは、ボイスオーバーインターネットプロトコル(VoIP)呼を含む、または
前記通信セッションは、ストリーミングメディアまたは非ストリーミングメディアのうちの少なくとも1つを使用して、音声、文字単位テキスト、メッセージ単位テキスト、ビデオ、およびテキストメッセージングのうちの1つまたは複数を搬送する、請求項1または9に記載の方法。
【請求項１４】
テレマティクスデータを通信するための装置であって、
通信セッションシグナリングプロトコルにより第2のデバイスにおいて第1のデバイスから第1のシグナリングメッセージの少なくとも一部分を受信するための手段であって、前記第1のシグナリングメッセージは、少なくとも、前記第1のデバイスと前記第2のデバイスとの間の通信セッションに関係するセッション情報の第1のセット、および前記第1のデバイスに関するテレマティクスデータの第1のセットを含む、手段と、
前記第1のシグナリングメッセージに応答して、前記通信セッションシグナリングプロトコルにより前記第1のデバイスに第2のシグナリングメッセージを送信するための手段であって、前記第2のシグナリングメッセージは、前記第1のシグナリングメッセージにおいて受信されたテレマティクスデータの前記第1のセットの内容に基づくメタデータを含む、手段と
を含む装置。
【請求項１５】
テレマティクスデータを通信するためのコンピュータプログラムであって、前記コンピュータプログラムに含まれる命令はプロセッサによって、請求項1から7、9から13のうちのいずれかに記載の方法のステップを行うように実行可能である、コンピュータプログラム。